(57)【要約】      （修正有）【課題】保温性を向上した脚保温具を提供する。【解決手段】脚保温具１００は、脚を出し入れする開口部１１１の大きさを出し入れ時と使用時で変える開口部可変手段１１２と、脚保温具１００全体を脚又は腰に結ぶ結合帯１３０を備える。【選択図】図１
0003231770.tif 000002
【実用新案登録請求の範囲】
【請求項１】
足先を含む脚を出し入れする開口部を有する上部カバーと、前記上部カバーに接続して、挿入した脚を包み足側が閉じた容器と、前記容器又は前記上部カバーに備えられ、前記容器又は前記上部カバーを利用者の膝上又は腰に結ぶ結合帯と、を備え、前記上部カバーは、脚の出し入れ時と脚の出し入れ時以外の使用時に対応して、各々、前記開口部の大きさを可変する開口部可変手段を備えることにより、脚の出し入れ時以外の使用時の熱の放散を回避して保温性の向上を行ったことを特徴とする脚保温具。
【請求項２】
保管時のために巻き又は折り畳みが可能であることを特徴とする請求項１記載の脚保温具。
【請求項３】
前記容器の容器壁の内側に、追加の内壁を備えて、前記容器壁と前記内壁の間に空間を設けたことで、熱の放散を減少させ、保温性が向上したことを特徴とする請求項１又は請求項２記載の脚保温具。
【請求項４】
前記容器と外部の空気との熱の交換を少なくするために、前記容器の上部と前記上部カバーの前記開口部を覆う上掛けを備えたことを特徴とする請求項１から請求項３のいずれか１つに記載の脚保温具。
【請求項５】
前記上掛けは、下面にポケットを備えることを特徴とする請求項４記載の脚保温具。
【請求項６】
大きさを片足を入れるサイズにすることで片足用としたことを特徴とする請求項１から請求項５のいずれか１つに記載の脚保温具。
【考案の詳細な説明】
【技術分野】
【０００１】
本考案は、足を含む脚を保温する保温具に関するものである。
【背景技術】
【０００２】
従来、保温具として、以下のようなものが見られる。図８に特許文献から引用してその図を示す。８−Ａは、特許文献１に掲載されたものであるが、足先を入れる場所の下に電気こたつ（あんか）を備える。足先にしか対応できないこと、熱源が必須である制限がある。
８−Ｂは、特許文献２に掲載されたものであるが、足先を入れる容器の内側に電気加熱具が付いていて、折りたためる構成である。８−Ａの例と同じ制限がある。なお、足を入れる口が開いているので、熱が逃げ、外気との熱交換により、冷える欠点があり、電気加熱具は必須である。８−Ｃは、特許文献３に掲載されたものであるが、膝下までの両足を入れるボックス又は筒状の収容部があるが、足を入れる口が大きく開いていて、閉じる構造がないので、熱が逃げ、外気との熱交換により、冷える欠点が大きい。更に、縛る等の脚との間で結合手段がないので、少々の移動の場合も、足を出して移動することになり、熱放散で冷えやすい欠点がある。８−Ｄは、特許文献４に掲載されたものであるが、箱型の本体の上面に足を入れる開口部があるが、開口部を大きくして、閉じる構成はなく固定的なので、開口部が小さいと、足の出し入れが面倒であり、大きいと熱が逃げて冷えやすい。
８−Ｅは、特許文献５に掲載されたものであるが、木材による箱構成で、形状に柔軟性が乏しいので、折り畳みで縮小保管は難しい。重くなり足に付けたまま少々の移動を行えない。
【先行技術文献】
【特許文献】
【０００３】
【特許文献１】実全昭６１−１５９９１７
【特許文献２】特許第５０５７８１４号
【特許文献３】特許第５６１５１９３号
【特許文献４】実用新案登録第３１７６８９９号
【特許文献５】実用新案登録第３１８２０５８号
【考案の概要】
【考案が解決しようとする課題】
【０００４】
本願の課題は、従来例の欠点を回避する脚保温具を提供することである。
【課題を解決するための手段】
【０００５】
以下請求項に沿い記述する。
請求項１記載の考案は、脚保温具であって、
足先を含む脚を出し入れする開口部を有する上部カバーと、前記上部カバーに接続して、挿入した脚を包み足側が閉じた容器と、前記容器又は前記上部カバーに備えられ、前記容器又は前記上部カバーを利用者の膝上又は腰に結ぶ結合帯と、を備え、前記上部カバーは、脚の出し入れ時と脚の出し入れ時以外の使用時に対応して、各々、前記開口部の大きさを可変する開口部可変手段を備えることにより、脚の出し入れ時以外の使用時の熱の放散を回避して保温性の向上を行ったことを特徴とする。
【０００６】
請求項２記載の考案は、請求項１記載の脚保温具において、
保管時のために巻き又は折り畳みが可能であることを特徴とする。
【０００７】
請求項３記載の考案は、請求項１又は請求項２記載の脚保温具において、
前記容器の容器壁の内側に、追加の内壁を備えて、前記容器壁と前記内壁の間に空間を設けたことで、熱の放散を減少させ、保温性が向上したことを特徴とする。
【０００８】
請求項４記載の考案は、請求項１から請求項３のいずれか１つに記載の脚保温具において、
前記容器と外部の空気との熱の交換を少なくするために、前記容器の上部と前記上部カバーの前記開口部を覆う上掛けを備えたことを特徴とする。
【０００９】
請求項５記載の考案は、請求項４記載の脚保温具において、
前記上掛けは、下面にポケットを備えることを特徴とする。
【００１０】
請求項６記載の考案は、請求項１から請求項５のいずれか１つに記載の脚保温具において、
大きさを片足を入れるサイズにすることで片足用としたことを特徴とする。
【考案の効果】
【００１１】
以上の様に構成されているので、本考案による脚保温具では、足先から脚まで保温性が向上し、移動性も向上する。
【図面の簡単な説明】
【００１２】
【図１】本考案にかかる脚保温具の一実施態様を示す図である。
【図２】本考案にかかる脚保温具の他の実施態様を示す図である。
【図３】本考案にかかる脚保温具の収納構造の一実施態様を示す図である。
【図４】本考案にかかる脚保温具の他の実施態様を示す図である。
【図５】本考案にかかる脚保温具の他の実施態様を示す図である。
【図６】本考案にかかる脚保温具の他の実施態様を示す図である。
【図７】本考案にかかる脚保温具の他の実施態様を示す図である。
【図８】従来の保温具の例を示す図である。
【考案を実施するための形態】
【００１３】
図１は、本考案にかかる脚保温具の一実施態様を示す図である。１−Ａにおいて、足先を含む脚を出し入れする開口部１１１を有する上部カバー１１０と上部カバー１１０に接続して、挿入した脚を包み足側が閉じた容器１２０であるものが袋体１２０Ａとなっていて、袋体１２０Ａ又は上部カバー１１０に備えられ、袋体１２０Ａ又は上部カバー１１０を利用者の膝上又は腰に結ぶ結合帯１３０とを備え、上部カバー１１０は、脚の出し入れ時と使用時に対応して、各々、開口部１１１を大と小に変える開口部可変手段１１２を備えるものである。これにより、脚の出し入れがしやすく、使用時は、袋体１２０Ａ内と外部との空気と熱の交換を極力減らして効率の良い保温が実現できる。１−Ａでは、開口部可変手段１１２は、紐１１２ａを引くと、開口部１１１が小さくなり、手で広げれば、開口部１１１は大きくなるものであるが、これにこだわらない。
【００１４】
尚、１−Ａでは、袋体１２０Ａと上部カバー１１０に切れ目を備え、面ファスナー又はファスナーで開閉するようにしたものを示す。この手段によっても、脚を出し入れする場合に好都合な対応ができる。なお、この場合には、下半身部は眠る訳ではないので、寝袋とは言えないが、所謂、寝袋を切って下半身部のみ用いた構成に結合帯１３０を備えたものとなる。
１−Ｂは、椅子１４０に座った状態で、脚保温具を使用している場合の図である。
尚、脚保温具１００の構成材料としては、先行文献にも見ることができ、ポリスチレン、ポリエチレンなどの発泡材や高分子繊維、綿など例を挙げるまでもなく各種の保温材が知られている。
【００１５】
本願の脚保温具では、足の出し入れ時は、開口のサイズが大きいので容易であり、足の出し入れ以外の通常の使用時は、開口が小さく絞られ外気と袋内の空気、熱の移動が妨げられるので、保温性がよく、電気暖房の様な加熱手段も無くとも使用できる。
特に、本願の脚保温具は、軽く構成できるので、椅子に車が付いていて移動性があれば、脚保温具を付けて座ったまま、小範囲の移動ができて便利である。かつ、結合帯１３０が、脚保温具１００全体を膝上又は腰にしっかり結び付けるので、このような移動や使用中にも外れずに対応できる。
【００１６】
図２は、本考案にかかる脚保温具の他の実施態様を示す図である。
図１のものは、挿入した脚を包み足側が閉じた容器１２０が袋体１２０Ａであったが、図２では、容器１２０は、図のように２−Ａでは、箱体１２０Ｂ、２−Ｂでは、筒体１２０Ｃとなっていることであり、それ以外の差異はない。
【００１７】
図３は、本考案にかかる脚保温具の収納構造の一実施態様を示す図である。
３−Ａには、１−Ａと同じものを示す。３−Ｂは、面ファスナー又はファスナー部を下に来るようにした状態であり、３−Ｃは、３−Ｂのものを端から少し巻いた状態、３−Ｄは、完全に巻いて結合帯１３０同士で縛る等の結合状態である。このように保管時には容易に小さくできる利点がある。このことは、寝袋が同様に巻により小さくなることと同じである。図２の箱体及び筒体のものも、上下に圧縮することや畳むなど小さくすることが可能である。
【００１８】
図４は、本考案にかかる脚保温具の他の実施態様を示す図である。１−Ａのものを例にして記述しているが、２−Ａ、２−Ｂでも同じである。容器１２０の容器壁１２１の内側に、追加の内壁１２２を備えて、容器壁１２１と内壁１２２の間に空間１２３を設けたものである。空間１２３の分だけ熱の放散が減少し、保温性が増す。又、空間１２３にクッションや保温材を入れると、保温性が更に増す。
【００１９】
図５は、本考案にかかる脚保温具の他の実施態様を示す図である。１−Ａのものを例にして記述しているが、２−Ａ、２−Ｂでも同じである。脚の入っている容器１２０の上部と上部カバー１１０の開口を覆い、容器と外部の空気と熱の交換を少なくするための上掛け１２４（カバー）、特に断熱性、起毛性の上掛け１２４を備えるのがよい。更に、上掛け１２４の下面に手やカイロ等の加温手段を入れるポケットを備えるとよい。
【００２０】
図６は、本考案にかかる脚保温具の他の実施態様を示す図である。１−Ａのものを例にして記述しているが、２−Ａ、２−Ｂでも同じである。容器１２０の下側の内側にあんか等の加温具を入れる加温具収納室１２５を設けた例である。
【００２１】
図７は、本考案にかかる脚保温具の他の実施態様を示す図である。１−Ａのものを例にして記述しているが、２−Ａ、２−Ｂでも同じである。上記したことは全く同じように解釈できる。只１つの違いは、今迄は、両足を入れる保温具を対象に記述したが、７−Ａでは、片足対応になっている。そのため、片足用に細身になっている。使用時は、両足にこれを２つ使うことになる。７−Ｂでは、椅子に座って使用した状態を示す。
両足用との違いは、左右の各足に別々についているので、歩く等の移動性が両足用に比べ各段に増すことである。
【産業上の利用可能性】
【００２２】
以上のように本考案にかかる脚保温具は、脚を出し入れする開口の大きさを出し入れ時と使用時で変え、全体を脚又は腰に結ぶ結合帯を備えるので、脚の保温性が向上するので産業上利用して極めて好都合である。
【００２３】
１００  脚保温具
１１０  上部カバー
１１１  開口部
１１２  開口部可変手段
１１２Ａ  紐
１２０  容器
１２０Ａ  袋体
１２０Ｂ  箱体
１２０Ｃ  筒体
１２１  容器壁
１２２  内壁
１２３  空間
１２４  上掛け
１２５  加温具収納室
１３０  結合帯
１４０  椅子
【図１】
0003231770.tif 000003
【図２】
0003231770.tif 000004
【図３】
0003231770.tif 000005
【図４】
0003231770.tif 000006
【図５】
0003231770.tif 000007
【図６】
0003231770.tif 000008
【図７】
0003231770.tif 000009
【図８】
0003231770.tif 000010